(57)【要約】【課題】  常時録画が可能な場合やＤＭＳ配信する場合でも、放送番組以外の部分のスキップ再生を容易に行えるようにする。【解決手段】    制御部１４は、Ｓ１２０にて、スキップ前と後の情報が一致しないか判断する。一致しないということは、スキップ前がＣＭで、スキップ後が本編であった、あるいはその逆のパターンが該当する。このため、制御部１４は、Ｓ１２５にて、５秒前に戻る。制御部１４は、Ｓ１３０にて、スキップ前と後のＰＩＤ情報が一致するか判断する。制御部１４は、スキップ前とスキップ後のＰＩＤ情報が一致するまでＳ１２５に戻ることを繰り返す。ＣＭが開始した後、スキップして３０秒後に進み、スキップ先がまだＣＭであればそのまま何もしないで処理を終了するか、スキップ先は本編が介しているときに５秒の戻りを繰り返してＣＭに達するまで繰り返した後で処理を終了することになる。【選択図】  図３
2015162254.tif 000002
【特許請求の範囲】
【請求項１】
デジタルテレビ放送を受信して復調する複数のチューナと、
復調された多重化デジタルテレビ信号のトランスポートストリームを多重分離して所定のパケットデータとする多重分離部と、
分離されたパケットデータに含まれる所定のエレメンタリストリームを使用して記録用のトランスポートストリームを再構築する再構築部と、
再構築されたトランスポートストリームを所定の記録媒体に記録し、または、同記録媒体に記録されている所定のトランスポートを再生する記録再生部と、
所定のパケットデータを含むエレメンタリストリームをデコードするデコーダ部と、
ユーザの操作入力を受け付ける操作部と、
前記チューナと前記多重分離部と前記再構築部と前記記録再生部と前記デコーダ部と前記操作部とを制御し、
所定の複数のチャンネルの放送内容を前記チューナで受信させ、前記多重分離部と前記再構築部と前記記録再生部とによって常時録画させる制御部とを備え、
前記操作部は、再生時に第一の所定時間分のスキップ操作を指定するスキップボタンを有しており、
前記制御部は、前記記録再生部での再生中に、前記スキップボタンの操作を検知したときに、スキップ前の再生位置における所定のパケットＩＤの情報とスキップ後の再生位置における同パケットＩＤの情報とを比較し、異なる場合には、前記第一の所定時間よりも短い第二の所定時間分だけ繰り返して戻らせ、同パケットＩＤの情報が一致するところから前記記録再生部で再生させることを特徴とするデジタルテレビ放送録画再生装置。
【請求項２】
前記制御部は、前記記録再生部での再生中に、前記スキップボタンの操作を検知したときに、スキップ前の再生位置における所定のパケットＩＤの情報とスキップ後の再生位置における同パケットＩＤの情報とを比較し、同じである場合には前記第一の所定時間分だけスキップさせることを前記記録再生部に繰り返させることを特徴とする請求項１に記載のデジタルテレビ放送録画再生装置。
【請求項３】
前記制御部は、前記記録再生部での再生時にＰＭＴの緊急情報記述子のフラグを参照し、同フラグに基づいてスキップ後の再生位置に緊急警報放送が含まれていると判断される場合には、スキップ前の再生位置における所定のパケットＩＤの情報とスキップ後の再生位置における同パケットＩＤの情報とを同じとみなすことを特徴とする請求項１または請求項２に記載のデジタルテレビ放送録画再生装置。
【請求項４】
前記制御部は、前記記録再生部での再生中に、再生中の所定のパケットＩＤの情報の変化を検出し、再生内容の所定の変化点を検出したときに、前記スキップボタンの操作を促す所定の表示を行わせることを特徴とする請求項１〜請求項３のいずれかに記載のデジタルテレビ放送録画再生装置。
【請求項５】
前記制御部は、前記所定のパケットＩＤの情報を比較するとき、音声、映像のフレームレート、アスペクト、字幕の情報のいずれかを表すパケットＩＤに基づいて、同パケットＩＤの情報が変化したか否かを比較することを特徴とする請求項１〜請求項４のいずれかに記載のデジタルテレビ放送録画再生装置。
【請求項６】
デジタルテレビ放送を受信して復調するチューナと、
復調された多重化デジタルテレビ信号のトランスポートストリームを多重分離して所定のパケットデータとする多重分離部と、
分離されたパケットデータに含まれる所定のエレメンタリストリームを使用して記録用のトランスポートストリームを再構築する再構築部と、
再構築されたトランスポートストリームを所定の記録媒体に記録し、または、同記録媒体に記録されている所定のトランスポートを再生する記録再生部と、
所定のパケットデータを含むエレメンタリストリームをデコードするデコーダ部と、
ユーザの操作入力を受け付けるとともに、少なくとも再生時に第一の所定時間分のスキップ操作を指定するスキップボタンを有する操作部と、
前記チューナと前記多重分離部と前記再構築部と前記記録再生部と前記デコーダ部と前記操作部とを制御する制御部を有するデジタルテレビ放送録画再生装置の再生方法であって、
前記記録再生部での再生中に、前記スキップボタンの操作を検知したときに、スキップ前の再生位置における所定のパケットＩＤの情報を取得する工程と、
スキップ後の再生位置における同パケットＩＤの情報を取得する工程と、
スキップ前の同パケットＩＤの情報とスキップ後の同パケットＩＤの情報とを比較し、異なる場合に前記第一の所定時間よりも短い第二の所定時間分だけ戻らせる工程とを含むことを特徴とするデジタルテレビ放送録画再生装置の再生方法。
【発明の詳細な説明】
【技術分野】
【０００１】
本発明は、デジタルテレビ放送を受信して記録および再生するデジタルテレビ放送録画再生装置およびその再生方法に関する。
【背景技術】
【０００２】
デジタルテレビでは、デジタルテレビ放送を受信して映像、音声、情報を復元して視聴可能にしている。デジタルテレビ放送を受信すると、復調後に多重化デジタルテレビ信号のトランスポートストリームを多重分離して所定のパケットデータとする。パケットデータにはパケットＩＤが付与されており、パケットデータの内容がパケットＩＤで識別できる。
【０００３】
一方、このようなテレビ放送のデジタル化（ＴＳのヘッダ情報ＰＩＤを利用）により、放送番組以外のＣＭ等について、検出が用意になった。また、録画番組にチャプターを付けることにより、ユーザは放送番組外のＣＭ等のスキップも容易になった。
しかし、複数チャンネルを同時録画し、タイムシフト（追っかけなど）再生機能を持つレコーダが普及してきている。このようなタイムシフト再生機能は処理が高負荷になっており、リアルタイムでチャプターを付ける事は困難である。
【０００４】
また、サーバーによるＤＬＮＡ（Digital Living Network Alliance）規格を利用したＤＭＳ配信により、ネットワーク上のクライアント（ＤＭＰ）での再生も可能になってきている。しかし、ＤＬＮＡ規格を利用した再生では、チャプター情報をクライアント（ＤＭＰ）側は利用出来ない。
機種によっては、ユーザが手動で操作する３０秒送りや１０秒戻りという操作でＣＭ等をとばすことは可能ではある。手動操作があるが、送り操作で行き過ぎた場合、戻り操作が必要になるので、ユーザには操作が煩わしい。
【０００５】
デジタル再生におけるジャンプ再生に関して、特許文献１〜４に開示されるものが知られている。
特許文献１は、ヘッダ情報を参照してジャンプするオーディオ再生装置に関する。特許文献１には、請求項１において、「圧縮オーディオデータを記録したオーディオファイルの再生装置において、早送り／早戻し命令があった際に、目的フレームの近接フレームにジャンプし、その後、近接フレームの次のフレームから目的フレームの前のフレームまでの各フレームのヘッダ情報を参照して目的フレームにジャンプする。」との開示がある。
【０００６】
特許文献２は、シーンチェンジの位置へジャンプする記録再生装置に関する。特許文献２には、請求項１や図２と図３において、「再生位置から所定時間のスキップ先のＩピクチャに関連付けられているシーンチェンジの位置情報またはその差分情報を読み出し、その読み出した位置情報または差分情報から求めた基準動画像データの位置アドレスまでスキップサーチを行う。」との開示がある。
【０００７】
特許文献３ヘッダを検索して再生する情報ファイルを使用した早送りトリックモードに関する。特許文献３には、請求項５において、「情報ファイルから、ＭＰＥＧファイル名、ＭＰＥＧシーケンス開始アドレス、ＭＰＥＧシーケンスヘッダ、ＧＯＰ開始アドレス、ＧＯＰにおけるバイト数、ピクチャ符号化タイプ、ピクチャ符号化構造、ピクチャ繰り返しフラグ、及び現在のピクチャにおけるバイト数のうちの少なくとも１つを示す情報を検索して、トリックモードで再生する。」、また、段落００１４において、「情報ファイルは、該ＭＰＥＧビデオプレゼンテーションを該トリックモードで再生する前に作成される。」との開示がある。ジャンプしてから戻る構成ではない。
【０００８】
特許文献４はＰＩＤによってＣＭをジャンプする録画装置に関する。特許文献４には、請求項１において、「録画している番組についてＰＩＤ情報に変化があると、その旨を示すインデックスを記憶する。ここで記憶したインデックスに基づいて再生する。」との開示がある。
【先行技術文献】
【特許文献】
【０００９】
【特許文献１】特開２０１０−１６０８６２号公報
【特許文献２】特開２００５−１５１０６９号公報
【特許文献３】特表２００５−５０７２１８号公報
【特許文献４】特開２００３−０３２５９８号公報
【発明の概要】
【発明が解決しようとする課題】
【００１０】
特許文献４は、ＰＩＤ（パケットＩＤ）に基づいてチャプターを記録する必要があり、常時録画機器では処理の負荷が大きくなりすぎて実現できない。また、チャプター情報に基づくので、ＤＬＮＡ規格のＤＭＳ配信の場合は利用できない。
他の特許文献においても、録画時の処理の負荷を大きくすることなく、放送番組以外の部分、例えば、番組途中の緊急情報やＣＭなどをスキップする操作を簡易にすることができない。
【００１１】
本発明は、常時録画が可能な場合やＤＭＳ配信する場合でも、放送番組以外の部分のスキップ再生を容易に行えるようにする。
【課題を解決するための手段】
【００１２】
本発明は、  デジタルテレビ放送を受信して復調する複数のチューナと、復調された多重化デジタルテレビ信号のトランスポートストリームを多重分離して所定のパケットデータとする多重分離部と、分離されたパケットデータに含まれる所定のエレメンタリストリームを使用して記録用のトランスポートストリームを再構築する再構築部と、再構築されたトランスポートストリームを所定の記録媒体に記録し、または、同記録媒体に記録されている所定のトランスポートを再生する記録再生部と、所定のパケットデータを含むエレメンタリストリームをデコードするデコーダ部と、ユーザの操作入力を受け付ける操作部と、前記チューナと前記多重分離部と前記再構築部と前記記録再生部と前記デコーダ部と前記操作部とを制御し、所定の複数のチャンネルの放送内容を前記チューナで受信させ、前記多重分離部と前記再構築部と前記記録再生部とによって常時録画させる制御部とを備え、前記操作部は、再生時に第一の所定時間分のスキップ操作を指定するスキップボタンを有しており、前記制御部は、前記記録再生部での再生中に、前記スキップボタンの操作を検知したときに、スキップ前の再生位置における所定のパケットＩＤの情報とスキップ後の再生位置における同パケットＩＤの情報とを比較し、異なる場合に前記第一の所定時間よりも短い第二の所定時間分だけ戻らせて前記記録再生部で再生させる構成としてある。
【００１３】
前記構成において、制御部による制御の下で、常時録画する際には、複数のチューナがそれぞれのチャンネルのデジタルテレビ放送を受信して復調すると、多重分離部は復調された多重化デジタルテレビ信号のトランスポートストリームを多重分離してそれぞれのチャンネルの所定のパケットデータとする。常時記録するには、再構築部が分離されたパケットデータに含まれる所定のエレメンタリストリームを使用してそれぞれのチャンネルの記録用のトランスポートストリームを再構築すると、記録再生部は再構築されたトランスポートストリームを所定の記録媒体に記録する。記録されたものは、同記録再生部が同記録媒体に記録されている所定のトランスポートとして再生する。デコーダ部は、多重分離部がトランスポートストリームから分離した所定のエレメンタリストリームを取り出してデコードするので、デコードされた映像や音声あるいはデータを所定の表示部などで視聴可能となる。かかる処理中は、トランスポートストリームの処理負担が大きく、チャプター処理は実施しない。
【００１４】
一方、再生時に第一の所定時間、例えば３０秒分のスキップ操作を指定するスキップボタンが前記操作部に備えられている。前記記録再生部での再生中に、ユーザがこのスキップボタンを操作すると、前記制御部は、前記スキップボタンの操作を検知し、スキップ前の再生位置における所定のパケットＩＤの情報とスキップ後の再生位置における同パケットＩＤの情報とを比較する。すなわち、第一の所定時間分だけスキップした位置で、所定のパケットＩＤの情報が異なっている場合に、前記第一の所定時間よりも短い第二の所定時間、例えば１０秒分だけ戻ることを繰り返させ、同パケットＩＤの情報が一致するところから前記記録再生部で再生させる。なお、一致といっても完全に同じでなければならない場合と一部が一致していればよい場合などがあるが、変化のないＰＩＤ情報は得られていないような場合は、存在するＰＩＤ情報が同じであるだけで一致すると判断すればよい。
【００１５】
ユーザがＣＭの再生中に３０秒分のスキップをさせたところ、ＣＭが終了して本編が始まっているときには、所定のパケットＩＤの情報の変化でこれを検知できる。このため、１０秒分だけ元に戻す処理を繰り返し行うことで、ＣＭにおける同パケットＩＤの情報と一致する位置まで戻す。これにより、ＣＭから本編に移行する前の部分から再生される。むろん、スキップさせる場所はＣＭ中に限らない。同じように放送番組以外の部分でスキップさせ、スキップした先の同パケットＩＤの情報が異なっていれば、スキップ前の同パケットＩＤの情報と一致するところまで戻す。
【００１６】
本発明の他の態様として、前記制御部は、前記記録再生部での再生中に、前記スキップボタンの操作を検知したときに、スキップ前の再生位置における所定のパケットＩＤの情報とスキップ後の再生位置における同パケットＩＤの情報とを比較し、同じである場合には前記第一の所定時間分だけスキップさせることを前記記録再生部に繰り返させる構成としても良い。
【００１７】
前記構成において、前記記録再生部での再生中に、前記スキップボタンの操作を検知したときに、スキップ前の再生位置における所定のパケットＩＤの情報とスキップ後の再生位置における同パケットＩＤの情報とを比較する。同パケットＩＤの情報が同じである場合には、前記第一の所定時間分だけスキップさせることを前記記録再生部に繰り返させる。
【００１８】
ユーザがＣＭの再生中に３０秒分のスキップをさせたところ、スキップ先もまだＣＭであることは、同パケットＩＤの情報が同じでることで検知できる。このため、再度、３０秒分のスキップをさせる。すなわち、スキップ先が未だＣＭであり続ける限り、スキップを繰り返す。ＣＭが終わり、本編になったときには同パケットＩＤの情報が異なるので、上述したように、ＣＭにおける同パケットＩＤの情報と一致する位置まで戻す。
【００１９】
本発明の他の態様として、前記制御部は、前記記録再生部での再生時にＰＭＴの緊急情報記述子のフラグを参照し、同フラグに基づいてスキップ後の再生位置に緊急警報放送が含まれていると判断される場合には、スキップ前の再生位置における所定のパケットＩＤの情報とスキップ後の再生位置における同パケットＩＤの情報とを同じとみなす構成としても良い。
【００２０】
前記構成において、スキップ前の所定のパケットＩＤの情報とスキップ後の同パケットＩＤの情報を比較するとき、前記制御部は、前記記録再生部での再生時にＰＭＴの緊急情報記述子のフラグを参照する。そして、このフラグを参照する結果、スキップ後の再生位置に緊急警報放送が含まれているかが分かる。もし、含まれている場合は、スキップ前の再生位置における同パケットＩＤの情報とスキップ後の再生位置における同パケットＩＤの情報とを同じとみなす。
【００２１】
すなわち、ＣＭ再生時にスキップボタンを操作したところ、スキップ先はＰＭＴの緊急情報記述子のフラグを参照する結果、緊急警報放送が含まれていることになった場合、未だＣＭのままと同じ扱いをする。放送番組以外であることに変わりがないので、このように対応する。このまま、ＣＭのスキップを繰り返してもよいし、ＣＭと同じであると判断して１０秒の戻りはせずに再生を続けるようにしてもよい。
【００２２】
本発明の他の態様として、前記制御部は、前記記録再生部での再生中に、再生中の所定のパケットＩＤの情報の変化を検出し、再生内容の所定の変化点を検出したときに、前記スキップボタンの操作を促す所定の表示を行わせる構成としても良い。
前記構成において、記録再生部での再生中に、前記制御部は、再生中の所定のパケットＩＤの情報の変化を検出する。再生内容の所定の変化点を検出した場合、放送番組から放送番組以外へ変化したものとみなすことができる。このため、前記スキップボタンの操作を促す所定の表示を行わせる。
ユーザがこの表示に気づいてスキップボタンを操作した場合は、前記スキップボタンの操作を検知し、前記記録再生部に前記第一の所定時間だけスキップさせる。すなわち、自動的にＣＭや放送番組以外を検出して表示し、ユーザにスキップを促すようにする。
【００２３】
本発明の他の態様として、前記制御部は、前記所定のパケットＩＤの情報を比較するとき、音声、映像のフレームレート、アスペクト、字幕の情報のいずれかを表すパケットＩＤの情報に基づいて、同パケットＩＤの情報が変化したか否かを比較する構成としても良い。
【００２４】
前記構成において、スキップ前の所定のパケットＩＤの情報と、スキップ後の同パケットＩＤの情報とを比較して同じであるか異なるのかを判断するとき、音声、映像のフレームレート、アスペクト、字幕の情報のいずれかを表すパケットＩＤの情報に基づいて、同パケットＩＤの情報が変化したか判断する。
本発明にかかる技術的思想はデジタルテレビ放送録画再生装置という形態のみで実現されるものではなく、例えば、上述したデジタルテレビ放送録画再生装置が実行する処理手順を有する＋＋の発明や、上述したデジタルテレビ放送録画再生装置において実現される処理をハードウェア（コンピューター）に実行させるプログラムの発明としても、把握することが可能である。
【発明の効果】
【００２５】
本発明によれば、スキップ後に戻る処理を行うようにしているので、処理の負荷が増えず、常時録画可能なデジタルテレビ放送録画再生装置であっても無理なく実現でき、かつ、ユーザの利便性を向上させることが可能なデジタルテレビ放送録画再生装置および再生方法を提供できる。
【図面の簡単な説明】
【００２６】
【図１】本発明の一実施形態にかかるデジタルテレビ放送録画再生装置のブロック図である。
【図２】再構築の際のパケットデータの移行状況を示す模式図である。
【図３】制御部によるスキップ制御のフローチャートである。
【図４】スキップや戻りの具体的な状況を示す説明図である。
【図５】戻り時間の設定の画面を示す図である。
【図６】制御部によるスキップ制御のフローチャートである。
【図７】制御部によるスキップ制御のフローチャートである。
【発明を実施するための形態】
【００２７】
以下、図面にもとづいて本発明の実施形態を説明する。
（第一実施例）
図１は、本発明の一実施形態にかかるデジタルテレビ放送録画再生装置をブロック図により示している。
本デジタルテレビ放送録画再生装置１０のチューナ１１ａ１〜１１ａ６はデジタルテレビ放送を受信し、復調器１１ｂ１〜１１ｂ６にて復調する。なお、復調と共に、所定の誤り訂正処理も行われる。チューナ１１ａ１〜ａ６と復調器１１ｂ１〜１１ｂ６とがデジタルテレビ放送を個別に受信して復調する複数のチューナに相当する。
【００２８】
復調されたデジタルテレビ放送信号はデマルチプレクサ１２に入力される。デマルチプレクサ１２は、主に多重分離部１３と制御部１４の機能を実現するものであり、多重分離部１３は復調された多重化デジタルテレビ信号のトランスポートストリームを多重分離して所定のパケットデータを生成する。パケットデータは、その内容に応じてパケットＩＤを割り当てられており、映像や音声のエレメントストリームを分割したパケットデータ以外にも様々な制御や管理などに利用されるパケットデータを含んでいる。
【００２９】
同分離されたパケットデータは、再生出力を行うデコーダ部１５と記録を行う再構築部（マルチプレクサ）１６とで利用される。再構築部１６は、分離されたパケットデータのうち、所定のエレメンタリストリームを再現するのに必要なパケットデータと、他の必要な制御用のパケットデータと使用して記録用のトランスポートストリームを再構築する。放送波に含まれる全てのパケットデータを利用するのではなく、再生に必要となる主なパケットデータだけを利用している。
【００３０】
再構築されたトランスポートストリームは記録再生部１７に入力され、ＨＤＤなどの記録媒体１８に記録される。なお、ＨＤＤに代え、または、ＨＤＤととも記録媒体を変更可能なブルーレイディスクドライブや、外付けのＨＤＤなどを備えても良い。記録再生部１７は再生にも関与し、同記録媒体１８に記録されている所定のトランスポートを読み出されると、多重分離部１３が再度多重分離して所定のパケットデータとする。すなわち、記録再生部１７は、再構築されたトランスポートストリームを所定の記録媒体に記録し、または、同記録媒体に記録されている所定のトランスポートを再生する。
【００３１】
デマルチプレクサ１２内では制御部１４による各種の処理が実現されており、視聴に利用される映像や音声のパケットデータはデコードに適したエレメンタリストリームとしてデコーダ部１５に出力され、同デコーダ部１５が映像信号や音声信号にデコードする。なお、本実施例のデコーダ部１５は自動表示メッセージを映像画面に重畳する処理も行なうが、別の処理部でこのような重畳を行うものとしても、デコーダ部１５での表示と称することにする。
【００３２】
デコードされた映像信号はドライバー１９ａに入力されてディスプレイパネル１９ｂで映像として表示される。また、デコードされた音声信号はアンプ１９ｃで増幅されてスピーカ１９ｄから音声として出力される。また、デコーダ部１５はデマルチプレクサ１２の制御部１４が生成する各種のＯＳＤ表示のデータを入力し、デコードされた映像信号に重畳してドライバー１９ａへと出力する。
【００３３】
制御部１４は、総合的な制御を司り、復調器ｂ１〜ｂ６を含めて前記チューナ１１ａ１〜ａ６と前記多重分離部１３と前記再構築部１６と前記記録再生部１７と前記デコーダ部１５とを制御する。そして、所定の複数のチャンネルの放送内容を前記チューナ１１ａ１〜ａ６で受信させ、前記多重分離部１３と前記再構築部１６と前記記録再生部１７とによって常時録画させる。
【００３４】
本デジタルテレビ放送録画再生装置１０に対する操作指示は、操作パネル２１を介してデマルチプレクサ１２が取得し、所定の制御に反映させる。また、リモコン２２を介する操作入力も同様に取得可能となっている。リモコン２２には、少なくともスキップボタン２２ａが備えられている。スキップボタン２２ａは、再生時に第一の所定時間分のスキップ操作を指定する操作子である。この他にも、通常の再生ボタン、停止ボタン、チャンネルボタンなど、一般的な操作子を備えている。
【００３５】
デマルチプレクサ１２にはネットワークユニット２３が接続され、デマルチプレクサ１２はネットワークユニット２３を介して小規模ＬＡＮやインターネットへ接続することが可能である。また、デマルチプレクサ１２はサーバー機能も備えており、ＤＬＮＡ規格に則ってＤＭＳ配信することが可能である。例えば、記録再生部１７の記録媒体１８に録画されている映像プログラムを提供するメディアサーバーとして機能したり、ネットワーク上の記録装置に対して記録媒体１８のように録画再生しても良い。
【００３６】
図２は、再構築の際のパケットデータの移行状況を示す模式図である。
放送波ＴＳとあるのは、デジタルテレビ放送信号を復調した後のトランスポートストリームを指しており、記録ＴＳとあるのは、再構築部１６がパケットデータからトランスポートストリームを再構築したものを指している。
図に示す表において、左欄にパケットＩＤ（ＰＩＤ）を示し、右欄に同パケットＩＤを割り当てられたパケットの種類を示している。パケットには非常に多くの種類のパケットが定められており、放送波ＴＳに含まれるパケットは必要に応じて放送局の側で生成して放送されている。これに対して記録ＴＳに含まれるパケットは家庭等で録画した番組の再生に必要な最低限のものだけを含めている。
【００３７】
ここで表中のパケットの主要なものについて説明する。
ＰＡＴ（Program Association Table）は、あるTS内に含まれるプログラム一覧を、ＰＭＴのＰＩＤ一覧で格納したものであり、ＰＡＴのＰＩＤは必ず０と決まっている。
ＣＡＴ（Conditional Access Table）は、限定受信をサポートする情報が含まれている。ＣＡＴのＰＩＤは必ず１と決まっている。
ＮＩＴ（Network Information Table）は、チャンネル番号や変調方式、ガードインターバルなど、送信するネットワークに関する情報が含まれている。ＮＩＴのＰＩＤは必ず０ｘ１０と決まっている。
ＳＤＴ（Service Description Table）は、チャンネルの名称が含まれている。また各チャンネル（サービス）で送出されるEITの種類、デジタルコピー制御情報も含まれる。ＳＤＴのＰＩＤは必ず０ｘ１１と決まっている。
ＥＩＴ（Event Information Table）は、番組の名称や放送日時、放送内容など番組に関連する情報が含まれる。EPGは主にこの情報を用いて作成される。ＥＩＴのＰＩＤは必ず0x12と決まっている。このＥＩＴはその示す内容により自局の現在及び次の番組、他局の現在及び次の番組、自局のそれ以外を含む番組、他局のそれら以外を含む番組の４種類に大別され、自局の現在及び次の番組に関する情報は必ず送出する必要があるがその他の情報は送出が任意であり、また送出の頻度も重要性に応じて小さくすることができる。
ＴＯＴ（Time Offset Table）は、現在の日付、時刻、およびサマータイムの情報が含まれる。ＴＯＴのＰＩＤは０ｘ１４と決まっている。
ＰＭＴ（Program Map Table）は、あるプログラムに含まれる画像や音声などの各ＰＩＤを格納したものである。ＰＭＴから画像や音声などのＰＩＤを得ることが出来れば、それらＰＩＤのついたTSパケットを抽出することでプログラムを再生できる。
ＥＭＭ（Entitlement ManagementMessage）は、加入者毎の契約情報および共通情報の暗号を解くためのワーク鍵を含む個別情報の伝送に使用されるものであり、自動表示メッセージやメールのメッセージなども含まれる。
ＳＩＴ（Selection Information Table）は、パーシャルトランスポートストリームで伝送される番組に関する情報の指示などに使用される。
ＥＣＭ（Entitlement Control Message）は、番組情報（番組に関する情報とデスクランブルのための鍵など）および制御情報（デコ−ダのデスクランブル機能の強制オン／オフの指令）からなる共通情報の伝送などに使用される。
【００３８】
個々のプログラムにより、含まれる画像や音声やデータ放送は異なり、必要に応じてパケットＩＤが割り振られてパケットデータとされて伝送されるとともに、割り振ったパケットＩＤとその内容との対応がＰＭＴに記述されることになる。図の表に示す例では、映像については０ｘ１０２、音声は主音声は副音声として０ｘ１０３と０ｘ１０４、字幕は０ｘ１０５、データ放送は二種類提供されて０ｘ１０６，０ｘ１０７がそれぞれ割り振られている。音声がさらに多国の場合はそれぞれの音声毎にパケットＩＤが割り振られるし、字幕やデータ放送についても同様に割り振られていく。
【００３９】
放送波ＴＳに対して、記録ＴＳには上述した各種のパケットの中から必要なものとして、ＰＡＴ，ＳＩＴ，ＰＭＴに加え、映像と、一つの音声と、ＥＭＭのパケットデータを記録することにしている。その他の情報は、放送波ＴＳには含まれていても全て無視し、記録ＴＳとして再構築する際には利用されない。
本実施例では、録画番組がＭＰＥＧ２−ＴＴＳやＨ．２６４／ＡＶＣのＴＳであれば、ＭＰＥＧヘッダ情報のＰＩＤを利用し、音声、映像のフレームレート、アスペクト、字幕の情報を取得し、ユーザが３０秒送り操作をした箇所からＰＩＤ情報が異なる箇所へ送った場合、自動戻りでＰＩＤ情報が変わるポイント近辺まで戻る。ＭＰＥＧ２−ＰＳの場合は、システムヘッダの情報を利用する。
【００４０】
図３は、制御部１４によるスキップ制御をフローチャートにより示しており、図４は、スキップや戻りの具体的な状況を説明図により示している。スキップ制御も一つの再生方法である。また、以下の各処理を実施する各ステップは一つ一つの工程に相当する。
制御部１４は、ステップＳ１００にて、ユーザがスキップキー操作したか判定する。例えば、既にユーザがリモコン２２を操作して記録再生部１７の記録媒体１８に記録されている録画済みのプログラムを選択して再生しているとする。なお、録画済みのプログラムは常時録画されているため、録画時の処理負荷の軽減のためにチャプター等は一切つけられていない。本来、全く余裕がないわけではないが、常時録画は記録媒体１８への負荷が大きく、記録媒体１８自身の判断でメンテナンスモードに入らないようにするため、可能な限り負荷を少なくすることで、常時録画の安定性を確保するようにしている。
【００４１】
プログラムの視聴中にＣＭなど放送番組以外の映像が開始したとき、ユーザはリモコン２２のスキップボタン２２ａを押すことでいわゆる「３０秒スキップ」を選択できる。これは操作時から３０秒先のシーンへジャンプすることを指している。制御部１４は操作パネル２１を介してリモコン２２の操作を監視しており、ステップＳ１００にて、スキップキー操作したと判定する。
【００４２】
制御部１４は、ステップＳ１０５にて、スキップ前のＰＩＤ情報を記憶する。このＰＩＤ情報は、特定のＰＩＤ、例えば、映像、音声、字幕、データ放送に割り当てられている情報を指しており、具体的には、映像の０ｘ１０２、主音声の０ｘ１０３、副音声の０ｘ１０４、字幕の０ｘ１０５、データ放送の０ｘ１０６，０ｘ１０７などが該当する。制御部１４は、ステップＳ１０５にて、スキップボタン２２ａの操作時に再生対象となっているＰＩＤ情報をデコーダ部１５から取得して記憶する。図４の例では、時刻Ｔ１でのＰＩＤ情報である。
【００４３】
次に、制御部１４は、ステップＳ１１０にて、３０秒先にスキップする。具体的には、記録再生部１７に対して、３０秒先のシーンから再生するように指示し、記録再生部１７はその指示に応じて３０秒先のシーンを含むＴＳを見つけ出し、３０秒先からのＴＳをデマルチプレクサ１２に出力し始める。
出力し始めたら、制御部１４は、ステップＳ１１５にて、スキップ後のＰＩＤ情報を記憶する。３０秒先のシーンはＣＭなのか本編なのか分からないが、その時点で再生対象となっているＰＩＤ情報を記憶する。図４の例では、時刻Ｔ２でのＰＩＤ情報である。
【００４４】
再生対象となっているＰＩＤ情報は、少なくとも音声と映像を含むであろうし、音声は各種のモードがあるので、ＣＭであるとか本編であるとか、再生対象によって異なることがある。映像についても、ＣＭと本編とではアスペクト比（映像表示モード）とが異なることがある。このため、ＰＩＤ情報として、音声、映像のフレームレート、アスペクト、字幕の情報を利用可能である。
【００４５】
制御部１４は、ステップＳ１２０にて、スキップ前と後の情報が一致しないか判断する。一致しないということは、スキップ前がＣＭで、スキップ後が本編であった、あるいはその逆のパターンが該当する。
ユーザにとっては、ＣＭが始まったのでスキップボタン２２ａを操作したのだが、３０秒先は既に本編が始まっていたという状況になる。このとき、ユーザは少し戻して本編の再開時点から再生を開始したいと思う。図４の例では、時刻Ｔ４からスキップした時刻Ｔ５−０では、ＣＭから本編へと変化している。
【００４６】
このため、制御部１４は、ステップＳ１２５にて、５秒前に戻る。具体的には、記録再生部１７に対して、５秒戻るシーンから再生するように指示し、記録再生部１７はその指示に応じて５秒戻るシーンを含むＴＳを見つけ出し、５秒戻るシーンからのＴＳをデマルチプレクサ１２に出力し始める。そして、制御部１４は、ステップＳ１３０にて、スキップ前と後のＰＩＤ情報が一致するか判断する。図４の例では、最初の戻りの操作の後なので時刻Ｔ５−１である。
【００４７】
ユーザにとっては、５秒戻ってみて本編が開始する前のＣＭであればよいが、本編であったら、再度、５秒戻ってみるということを繰り返したい。従って、制御部１４は、ステップＳ１３０にて、スキップ前と、５秒戻った先のスキップ後のＰＩＤ情報が一致するか判断し、一致するまでステップＳ１２５に戻ることを繰り返す。図４の例では、２回目の戻りの操作の後である時刻Ｔ５−２の時点である。
【００４８】
この結果、ＣＭが開始した後、スキップして３０秒後に進み、スキップ先がまだＣＭであればそのまま何もしないで処理を終了するか、スキップ先は本編が介しているときに５秒の戻りを繰り返してＣＭに達するまで繰り返した後で処理を終了することになる。
従来は、ユーザが手動でおこなう３０秒送り、１０秒戻り操作でＣＭ等をとばす手動操作があったが、送り操作で行き過ぎた場合、戻り操作が必要になるので、ユーザには操作が煩わしかった。本実施例によれば、戻り操作を自動的に行うので、ユーザには煩わしさがない。また、常時録画中にチャプターをつける処理などは全く必要ない。ここで３０秒間が第一の所定期間に相当し、５秒間が第二の所定期間に相当する。第二の所定期間が第一の所定期間よりも短いのは、戻り操作によってスキップ前の位置よりもさらに前に戻ってしまわないようにするためである。このため、第二の所定期間は、第一の所定期間に対して数分の一（本実施例では６分の１）に設定すると良い。
【００４９】
なお、ＤＬＮＡ規格に基づいてＤＭＳ配信しているときについては、リモコン２２からの操作ではなくネットワークユニット２３を介して入力されるＤＭＰからの要求に応じて操作を受け付ける。また、制御部１４はローカルの処理でＰＩＤ情報の比較をするだけで済むので処理の負荷が小さく容易に実現できる。
【００５０】
（第二実施例）
本実施例では、行き過ぎたら５秒戻る操作を行っているが、５秒に限られるわけではない。
図５は、戻り時間の設定の画面を図により示している。
機器の設定メニュー画面などから、この戻り時間の設定を選択できるようにする。ユーザがリモコン２２を操作して戻り時間の設定を選択したら、制御部１４は、同図に示すように、「５秒」、「１０秒」、「任意の秒数」の各メニューを表示して選択させる。「５秒」と「１０秒」については、前のラジオボタンを選択してリモコン２２上の「ＯＫ」ボタンを押せばよく、「任意の秒数」についてはアップキーとダウンキーとで希望する秒数に変更後、「ＯＫ」ボタンを押せばよい。キャンセルすることも可能でありリモコン２２上の「キャンセル」ボタンを押す。
【００５１】
（第三実施例）
本実施例では、制御部１４は、記録再生部１７での再生中に、再生中の所定のパケットＩＤの情報の変化を検出し、再生内容の所定の変化点を検出したときに、スキップボタンの操作を促す所定の表示を行わせる。
図６は、制御部１４によるスキップ制御をフローチャートにより示している。
この例では、制御部１４は、常に、ステップＳ２００にて、再生中のＰＩＤ情報を記憶する。再生中のＰＩＤ情報はデコーダ部１５から取得する。ステップＳ２０５では、前回に取得しておいたＰＩＤ情報と今回取得したＰＩＤ情報とを比較し、ＰＩＤの情報が変わったか判断する。変わっていなければ、ステップＳ２００にて、次のＰＩＤ情報を取得する処理を繰り返す。
【００５２】
しかし、ステップＳ２０５にて、ＰＩＤの情報が変わったことを検出すると、制御部１４は、ステップＳ２１０にて、変わったＰＩＤの情報を記憶し、ステップＳ２１５にて、ＯＳＤに「スキップ操作キーが有効」のメッセージを表示する。ＰＩＤの情報が変わるというのは、上述したように、本編からＣＭに入ったとき、あるいはその逆のタイミングで生じる現象である。ユーザにとっては、プログラムの再生中に本編からＣＭに入ると、ディスプレイパネル１９ｂにＯＳＤ表示で「スキップ操作キーが有効」と表示されることになる。
【００５３】
制御部１４は、ステップＳ２２０にて、ユーザがスキップキー操作したか否かを判定する。スキップキー操作とは、スキップボタン２２ａを押すことを意味する。スキップキー操作がされなくても所定時間（タイムアウト）だけ待つが、ステップＳ２４５にて、ＯＳＤメッセージタイムアウトと判断された場合には、ステップＳ２００に戻って次にＰＩＤ情報が変わるのを待機する処理を繰り返す。
【００５４】
しかし、タイムアウトになる前にユーザがスキップボタン２２ａを押し下げた場合は、制御部１４は、この操作を検知し、ステップＳ２２５にて、３０秒先にスキップする。具体的には、記録再生部１７に対して、３０秒先のシーンから再生するように指示し、記録再生部１７はその指示に応じて３０秒先のシーンを含むＴＳを見つけ出し、３０秒先からのＴＳをデマルチプレクサ１２に出力し始める。
【００５５】
そして、制御部１４は、ステップＳ２３０にて、スキップ前と後の情報が一致しないか判断する。すなわち、スキップ後のＰＩＤ情報をデコーダ部１５から取得し、ステップＳ２１０で記憶しておいたＰＩＤ情報と比較する。一致しているというのは、スキップ前がＣＭで、スキップ後もＣＭということである。第一実施例の場合と異なり、第二実施例では、ＣＭである間は３０秒スキップを繰り返すため、制御部１４は、スキップ前と後の情報が一致している間はステップＳ２２５に戻って３０秒スキップを繰り返す。図４に示す例では、時刻Ｔ２〜時刻Ｔ４では３０秒スキップを繰り返すことになる。
【００５６】
しかし、時刻Ｔ５−０になった時点で、スキップ前と後の情報が一致していないと判断されるので、制御部１４は、ステップＳ２３５にて、５秒前に戻り、ステップＳ２４０にて、スキップ前と後の情報が一致しているか判断する。図４に示す例では、時刻Ｔ５−０で５秒前に戻り、時刻Ｔ５−１で、再度、スキップ前と後の情報が一致していないと判断され、再び、５秒前に戻る。しかし、時刻Ｔ５−２で、スキップ前と後の情報が一致していると判断されて処理を終了する。
【００５７】
この結果、時刻Ｔ２，Ｔ３，Ｔ４で自動的に３０秒ずつスキップが繰り返された後、時刻Ｔ５−０，Ｔ５−１で５秒を戻る処理が自動的に繰り返されて終了する。ユーザは、従来であれば、この処理を自らリモコン２２で操作しなければならなかったので、操作の煩わしさから解放されることになる。
【００５８】
（第四実施例）
本実施例では、記録再生部１７での再生時にＰＭＴの緊急情報記述子のフラグを参照し、同フラグに基づいてスキップ後の再生位置に緊急警報放送が含まれていると判断される場合には、スキップ前の再生位置における所定のパケットＩＤの情報とスキップ後の再生位置における同パケットＩＤの情報とを同じとみなす。
図７は、制御部１４によるスキップ制御をフローチャートにより示している。
制御部１４は、ステップＳ３００にて、ユーザがスキップキー操作したか判断し、スキップボタン２２ａが押されたことを検出すると、ステップＳ３０５にて、スキップ前のＰＩＤ情報を記憶し、ステップＳ３１０にて、３０秒先にスキップする。次に、制御部１４は、ステップＳ３１５にて、スキップ後のＰＩＤ情報をデコーダ部１５から取得して記憶し、ステップＳ３２０にて、スキップ前と後の情報が一致しないか判断する。これまでの処理は、第一実施例のステップＳ１００〜ステップＳ１２０のものと同じである。
【００５９】
しかし、本実施例では、制御部１４は、ステップＳ３２５にて、ＰＭＴの緊急情報記述子のフラグを参照する。録画中に緊急警報放送（ＥＷＳ）が含まれる場合、ＰＭＴの緊急情報記述子のフラグがセットされている。これを利用すれば、録画番組再生時に緊急情報記述子の情報より、番組の変化点を検出することもできる。
また、録画中に緊急警報放送が含まれていても、再生時には既に過去の情報に過ぎないので、敢えて見る必要はない。このため、ＰＭＴの緊急情報記述子のフラグを参照して録画中に緊急警報放送（ＥＷＳ）が含まれていないことが分かる場合、制御部１４は、ステップＳ３３０にて、スキップ後の再生位置に緊急警報放送が含まれていると判断し、ステップＳ３３５にて、５秒前に戻る。
【００６０】
ステップＳ３３５にて５秒前に戻る処理は、第一実施例の場合は、スキップ前がＣＭであったときに、スキップ後に本編のＰＩＤ情報となった場合であった。ＰＩＤ情報が変わったので、ＣＭ以外のものとなったからである。しかし、本編以外に、ＣＭに加えて、緊急警報放送があることもあるが、この場合は、ＣＭと同様の処理をするべきである。なぜなら、過去の緊急警報放送を見ることをユーザは望まないからである。このため、ＰＭＴの緊急情報記述子のフラグを参照して録画中に緊急警報放送（ＥＷＳ）が含まれる場合は、スキップ前の再生位置における所定のパケットＩＤの情報とスキップ後の再生位置における同パケットＩＤの情報とが異なるとはみなさず、同じとみなす。このようにすると、５秒戻る操作はしないことになる。すなわち、ＣＭから緊急警報放送（ＥＷＳ）へスキップしたら、５秒戻りを繰り返して緊急警報放送（ＥＷＳ）の直前まで戻るということはしないようにしている。
【００６１】
なお、ステップＳ３２５とステップＳ３３０にて、緊急警報放送（ＥＷＳ）が含まれていないと判断された場合は、ＰＩＤ情報が変わっているのであるからＣＭから本編へと移ったことになり、ステップＳ３３５にて５秒前に戻る操作を、ステップＳ３４０にて、スキップ前と後のＰＩＤ情報が一致すると判断されるまで繰り返す。
【００６２】
以上説明したように、本発明は、以下のような特徴を持っている。
［１］ＴＶ放送を録画する機器で、その録画した番組を再生する場合にチャプター情報が無い場合、例えば、リアルタイムでチャプターを設定するにはＣＰＵの処理速度が必要になるタイムシフト録画の場合、チャプターを付けず録画する場合がある。その場合、録画番組を再生するときにＭＰＥＧ２−ＴＳ，Ｈ．２６４／ＡＶＣのヘッダ情報で、情報の変化を利用する。
［２］ホームネットワーク（ＤＬＮＡ）を利用しサーバ（ＤＭＳ）にある録画番組をクライアント（ＤＭＰ）で再生する場合、ＤＬＮＡのガイドラインでは、チャプター情報というものがない、そこで、ＭＰＥＧ２−ＴＳ，Ｈ．２６４／ＡＶＣのヘッダ情報を利用し番組の変化点を検出する。
［３］送り操作の方法は、１）送り操作手動で、戻り自動による方法と、２）送り操作と戻り操作、両方自動とする、ことが可能である。
［４］録画中に緊急警報放送（ＥＷＳ）が含まれる場合、ＰＭＴの緊急情報記述子のフラグがセットされていることを利用し、録画番組再生時に緊急情報記述子の情報より、番組の変化点を検出する。
【００６３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６４】
１０…デジタルテレビ放送録画再生装置、１１ａ１〜１１ａ６…チューナ、１１ｂ１〜１１ｂ６…復調器、１２…デマルチプレクサ、１３…多重分離部、１４…制御部、１５…デコーダ部、１６…再構築部（マルチプレクサ）、１７…記録再生部、１８…記録媒体、１９ａ…ドライバー、１９ｂ…ディスプレイパネル、１９ｃ…アンプ、１９ｄ…スピーカ、２１…操作パネル、２２…リモコン、２２ａ…スキップボタン、２３…ネットワークユニット。
【図１】
2015162254.tif 000003
【図２】
2015162254.tif 000004
【図３】
2015162254.tif 000005
【図４】
2015162254.tif 000006
【図５】
2015162254.tif 000007
【図６】
2015162254.tif 000008
【図７】
2015162254.tif 000009